(57)【要約】【課題】タッチセンシティブディスプレイを改善すること。【解決手段】タッチセンシティブディスプレイ（１１８）上に、複数の標的ゾーン（４０２、５０２）に対応する複数のメニュー項目（４０４、５０４）を表示することであって、該複数のメニュー項目（４０４、５０４）の該表示は、該複数のメニュー項目（４０４、５０４）に沿った少なくとも三つの異なる位置に分散された標的ゾーン（４０２、５０２）の表現を含む、ことと、第一のメニュー項目（４０４、５０４）に関連した第一の標的ゾーン（４０２、５０２）内でタッチを検出することと、該第一のメニュー項目（４０４、５０４）の選択に関連した少なくとも一つの機能を行うこととを包含する、方法。【選択図】図１
2010262636.tif 000002
【特許請求の範囲】
【請求項１】
タッチセンシティブディスプレイ（１１８）上に、複数の標的ゾーン（４０２、５０２）に対応する複数のメニュー項目（４０４、５０４）を表示することであって、該複数のメニュー項目（４０４、５０４）の該表示は、該複数のメニュー項目（４０４、５０４）に沿った少なくとも三つの異なる位置に分散された標的ゾーン（４０２、５０２）の表現を含む、ことと、
第一のメニュー項目（４０４、５０４）に関連した第一の標的ゾーン（４０２、５０２）内でタッチを検出することと、
該第一のメニュー項目（４０４、５０４）の選択に関連した少なくとも一つの機能を行うことと
を包含する、方法。
【請求項２】
少なくとも二つの隣接したメニュー項目は、一つの共通の境界（３１０）を有する、請求項１に記載の方法。
【請求項３】
前記第一の標的ゾーン（４０２）は、前記第一のメニュー項目（４０４）の拡大エリア（４１０）を含む、請求項１または請求項２に記載の方法。
【請求項４】
前記第一のメニュー項目（４０４）は、補足ゾーン（４０８）をさらに含み、該補足ゾーン（４０８）は、前記第一の標的ゾーン（４０２）よりも少なくとも一つの寸法において短く、該補足ゾーン（４０８）内でタッチを検出することは、該第一のメニュー項目（４０４）を選択し、または、該補足ゾーン（４０８）および該第一の標的ゾーン（４０２）は、該第一のメニュー項目（４０４）に関連した単一のエリアの中に表示される、請求項３に記載の方法。
【請求項５】
前記複数のメニュー項目（４０４）の各々に対する前記表示されるエリアは、第一の端および第二の端を備え、前記複数の標的ゾーン（４０２）の少なくともいくつかは、該第一の端および該第二の端から離れて配置される、請求項１に記載の方法。
【請求項６】
前記第一のメニュー項目（４０４）に対する識別子（４０６）の少なくとも一部分は、前記第一の標的ゾーン（４０２）内に配置される、請求項１〜５に記載の方法。
【請求項７】
前記複数のメニュー項目（５０４）は、第一の方向にリストされ、前記複数の標的ゾーン（５０２）は、該第一の方向に対して実質的に垂直である第二の方向に沿って配列される、請求項１〜６に記載の方法。
【請求項８】
前記複数の標的ゾーン（４０２、５０２、６０２）は、繰り返しパターンで配列されるか、または前記複数の標的ゾーン（４０２、５０２）は、前記第一の方向に対して斜め方向に沿って広がるか、または前記複数の標的ゾーン（５０２、６０２）は、前記第二の方向に沿った少なくとも五つの異なる位置に沿って分散される、請求項７に記載の方法。
【請求項９】
前記第一のメニュー項目（５０４）は、第一の色配列で表示され、第一の標的ゾーン（５０２）は、異なる色配列で表示される、請求項１〜８に記載の方法。
【請求項１０】
第一の標的ゾーン（８０２）は、第一のメニュー項目（８０４）の表示されるエリア内に全体が視覚的に描かれ、該第一のメニュー項目（８０４）に対する選択エリア（８０８）は、該第一のメニュー項目（８０４）の該表示されるエリアを越えて広がる、請求項１〜９に記載の方法。
【請求項１１】
少なくとも一つの機能を行うことは、前記第一のメニュー項目（４０４）の選択に関連した情報を表示することを包含する、請求項１〜１０に記載の方法。
【請求項１２】
コンピューター読み取り可能な媒体であって、ポータブル電子デバイス（１００）のプロセッサー（１０２）によって実行され、該ポータブル電子デバイス（１００）に請求項１に記載の方法を実装させる、記憶された命令を有する、コンピューター読み取り可能な媒体。
【請求項１３】
ポータブル電子デバイスであって、該ポータブル電子デバイスは、
複数のメニュー項目（４０４）を表示するように構成されているタッチセンシティブディスプレイ（１１８）と、
マイクロプロセッサーと
を備え、
該マイクロプロセッサーは、
該複数のメニュー項目（４０４）の第一のメニュー項目（４０４）の選択エリア内のタッチを検出することであって、該選択エリアは、該第一のメニュー項目（４０４）に対して表示されるエリアを越えて広がる、ことと、
該第一のメニュー項目（４０４）の選択に関連した少なくとも一つの機能を行うことと
を行うように構成されている、ポータブル電子デバイス。
【請求項１４】
前記第一のメニュー項目の前記選択エリアは、第二のメニュー項目に対して表示されるエリアに重なるか、または少なくとも二つの隣接したメニュー項目は、一つの共通の境界（３１０）を有する、請求項１３に記載のポータブル電子デバイス。
【請求項１５】
前記タッチは、所定の閾値を超える力によって前記タッチセンシティブディスプレイ（１１８）上に伝えられる、請求項１３または請求項１４に記載のポータブル電子デバイス。
【発明の詳細な説明】
【技術分野】
【０００１】
本開示は、ポータブル電子デバイスに関し、このポータブル電子デバイスは、タッチスクリーンディスプレイとその制御装置とを有するポータブル電子デバイスを含むが、これに限定されない。
【背景技術】
【０００２】
（背景）
ポータブル電子デバイスを含む電子デバイスは、広範な使用を獲得し、さまざまな機能（例えば、電話アプリケーション機能と、電子メッセージングアプリケーション機能と、他のパーソナルインフォメーションマネージャー（ＰＩＭ）アプリケーション機能とを含む）を提供し得る。ポータブル電子デバイスは、例えば、いくつかのタイプのモバイルステーション（例えば、単純なセルラー電話、スマート電話、ワイヤレスパーソナルデジタルアシスタント（ＰＤＡ）、およびワイヤレス８０２．１１能力またはＢｌｕｅｔｏｏｔｈ能力を有するラップトップコンピューター）を含む。これらのデバイスは、データ専用ネットワーク（例えば、Ｍｏｂｉｔｅｘ（登録商標）およびＤａｔａＴＡＣ（登録商標）ネットワーク）から、複雑な音声とデータとのネットワーク（例えば、ＧＳＭ／ＧＰＲＳ、ＣＤＭＡ、ＥＤＧＥ、ＵＭＴＳおよびＣＤＭＡ２０００ネットワーク）まで、幅広いさまざまなネットワーク上で動作する。
【０００３】
ＰＤＡまたはスマート電話のようなポータブル電子デバイスは、概して、ハンドヘルドの使用と携帯の容易さとを意図される。携帯のためには、概して、より小さいデバイスが所望される。入力および出力のためのタッチスクリーンディスプレイが、そのようなハンドヘルドデバイス上で特に有用である。なぜなら、そのようなハンドヘルドデバイスは小さく、したがって、ユーザー入力デバイスおよびユーザー出力デバイスのために利用可能な空間が限定されるからである。さらに、タッチスクリーンディスプレイデバイス上のスクリーンコンテンツは、実施される機能と動作とに依存して修正され得る。それでもなお、これらのデバイスは、タッチスクリーンディスプレイ上にコンテンツを表すことと、例えばユーザーとの相互作用のためにフィーチャーまたはアイコンを表すこととのための、限定されたエリアを有する。ポータブル電子デバイスの大きさを減少させることに対する連続的な要求により、タッチスクリーンディスプレイは、大きさを減少させ続けている。
【発明の概要】
【発明が解決しようとする課題】
【０００４】
したがって、タッチスクリーンデバイスにおける改善が所望される。
【課題を解決するための手段】
【０００５】
（詳細な説明）
以下は、タッチセンシティブディスプレイ上のメニュー項目に対する標的ゾーンを表示する方法および装置を説明する。標的ゾーンをメニュー項目と結び付けて表示するさまざまな方法が開示される。標的ゾーンは、メニュー項目に沿った多数の異なる位置に分散され得、メニュー項目の拡大エリア内に表現され得る。メニュー項目に対する選択エリアは、メニュー項目に対して表示されるエリアを越えて広がり得る。
【０００６】
複数のメニュー項目が、タッチセンシティブディスプレイ上に表示される。複数のメニュー項目は、複数の標的ゾーンに対応する。複数のメニュー項目の表示は、メニュー項目に沿った少なくとも三つの異なる位置に分散された標的ゾーンの表現を含む。タッチは、第一のメニュー項目に関連した第一の標的ゾーン内で検出される。第一のメニュー項目の選択に関連した少なくとも一つの機能が行われる。
【０００７】
少なくとも二つの隣接したメニュー項目が、一つの共通の境界を有し得る。
【０００８】
第一の標的ゾーンは、第一のメニュー項目の拡大エリアを含み得る。第一のメニュー項目は、少なくとも一つの寸法において第一の標的ゾーンよりも短い補足ゾーンをさらに含み得、結果として、補足ゾーン内のタッチを検出することは、第一のメニュー項目を選択する。補足ゾーンおよび第一の標的ゾーンは、第一のメニュー項目に関連した単一のエリアの中に表示され得る。
【０００９】
複数のメニュー項目の各々に対して表示されるエリアは、第一の端および第二の端を含み得る。標的ゾーンの少なくとも一部分は、第一の端および第二の端から離れて配置され得る。
【００１０】
第一のメニュー項目に対する識別子の少なくとも一部分は、第一の標的ゾーン内に配置され得る。
【００１１】
複数のメニュー項目は、第一の方向にリストされ得、複数の標的ゾーンは、第一の方向に対して実質的に垂直な第二の方向に沿って配列され得る。複数の標的ゾーンは、繰り返しパターンで配列され得る。複数の標的ゾーンは、第一の方向に対して斜め方向に沿って広がり得る。複数の標的ゾーンは、第二の方向に沿った少なくとも五つの異なる位置に沿って分散され得る。
【００１２】
第一のメニュー項目は、第一の色配列で表示され得、第一の標的ゾーンは、異なる色配列で表示され得る。
【００１３】
第一の標的ゾーンは、第一のメニュー項目の表示されるエリア内に全体が視覚的に描かれ得る。第一のメニュー項目に対する選択エリアは、第一のメニュー項目の表示されるエリアを越えて広がり得る。
【００１４】
少なくとも一つの機能を行うことは、第一のメニュー項目の選択に関連した情報を表示することを含み得る。
【００１５】
コンピューター読み取り可能な媒体は、ポータブル電子デバイスのプロセッサーによって実行される記憶された命令を含み得、ポータブル電子デバイスに本明細書で説明される方法のうちの任意の方法を実装させる。
【００１６】
ポータブル電子デバイスは、タッチセンシティブディスプレイおよびマイクロプロセッサーを含む。タッチセンシティブディスプレイは、複数のメニュー項目を表示するように構成される。マイクロプロセッサーは、複数のメニュー項目のうちの第一のメニュー項目の選択エリア内でタッチを検出するように構成され、選択エリアは、第一のメニュー項目に対して表示されるエリアを越えて広がる。マイクロプロセッサーは、第一のメニュー項目の選択に関連した少なくとも一つの機能を行うように、さらに構成される。
【００１７】
第一のメニュー項目の選択は、第二のメニュー項目に対する表示されるエリアに重なり得る。
【００１８】
タッチは、所定の閾値を超える力によってタッチセンシティブディスプレイ上に伝えられ得る。
【００１９】
行われる機能は、第一のメニュー項目の選択に関連した情報を表示することを含み得る。
【００２０】
ポータブル電子デバイスはまた、タッチセンシティブディスプレイおよびマイクロプロセッサーを含むことが開示される。タッチセンシティブディスプレイは、複数のメニュー項目を表示するように構成され、複数のメニュー項目の中で標的ゾーンは、複数のメニュー項目のうちの第一のメニュー項目に対して表示されるエリア内に表示される。マイクロプロセッサーは、第一のメニュー項目の選択エリア内でのタッチを検出するように構成され、選択エリアは、第一のメニュー項目に対して表示されるエリアを越えて広がる。マイクロプロセッサーは、第一のメニュー項目の選択に関連した少なくとも一つの機能を行うように、さらに構成される。選択エリアは、第二のメニュー項目に対して表示されるエリアに重なる。少なくとも二つの隣接したメニュー項目が、一つの共通の境界を有する。
【００２１】
開示される方法およびポータブル電子デバイスは、使いやすさが改善されたメニュー項目またはリストを表示する。タッチセンシティブディスプレイの比較的小さい大きさに起因して、表示されるコンテンツは、しばしばかなり小さく、選択することが困難であり得る。ユーザーの指が二つ以上の表示される項目を覆うのに十分大きいので、ユーザーが、意図された項目ではない近くの項目を容易に選択することは容易である。
【００２２】
例えば、本発明は以下の項目を提供する。
（項目１）
タッチセンシティブディスプレイ（１１８）上に、複数の標的ゾーン（４０２、５０２）に対応する複数のメニュー項目（４０４、５０４）を表示することであって、該複数のメニュー項目（４０４、５０４）の該表示は、該複数のメニュー項目（４０４、５０４）に沿った少なくとも三つの異なる位置に分散された標的ゾーン（４０２、５０２）の表現を含む、ことと、
第一のメニュー項目（４０４、５０４）に関連した第一の標的ゾーン（４０２、５０２）内でタッチを検出することと、
該第一のメニュー項目（４０４、５０４）の選択に関連した少なくとも一つの機能を行うことと
を包含する、方法。
（項目２）
少なくとも二つの隣接したメニュー項目は、一つの共通の境界（３１０）を有する、上記項目のいずれかに記載の方法。
（項目３）
上記第一の標的ゾーン（４０２）は、上記第一のメニュー項目（４０４）の拡大エリア（４１０）を含む、上記項目のいずれかに記載の方法。
（項目４）
上記第一のメニュー項目（４０４）は、補足ゾーン（４０８）をさらに含み、該補足ゾーン（４０８）は、上記第一の標的ゾーン（４０２）よりも少なくとも一つの寸法において短く、該補足ゾーン（４０８）内でタッチを検出することは、該第一のメニュー項目（４０４）を選択し、または、該補足ゾーン（４０８）および該第一の標的ゾーン（４０２）は、該第一のメニュー項目（４０４）に関連した単一のエリアの中に表示される、上記項目のいずれかに記載の方法。
（項目５）
上記複数のメニュー項目（４０４）の各々に対する上記表示されるエリアは、第一の端および第二の端を備え、上記複数の標的ゾーン（４０２）の少なくともいくつかは、該第一の端および該第二の端から離れて配置される、上記項目のいずれかに記載の方法。
（項目６）
上記第一のメニュー項目（４０４）に対する識別子（４０６）の少なくとも一部分は、上記第一の標的ゾーン（４０２）内に配置される、上記項目のいずれかに記載の方法。
（項目７）
上記複数のメニュー項目（５０４）は、第一の方向にリストされ、上記複数の標的ゾーン（５０２）は、該第一の方向に対して実質的に垂直である第二の方向に沿って配列される、上記項目のいずれかに記載の方法。
（項目８）
上記複数の標的ゾーン（４０２、５０２、６０２）は、繰り返しパターンで配列されるか、または上記複数の標的ゾーン（４０２、５０２）は、上記第一の方向に対して斜め方向に沿って広がるか、または上記複数の標的ゾーン（５０２、６０２）は、上記第二の方向に沿った少なくとも五つの異なる位置に沿って分散される、上記項目のいずれかに記載の方法。
（項目９）
上記第一のメニュー項目（５０４）は、第一の色配列で表示され、第一の標的ゾーン（５０２）は、異なる色配列で表示される、上記項目のいずれかに記載の方法。
（項目１０）
第一の標的ゾーン（８０２）は、第一のメニュー項目（８０４）の表示されるエリア内に全体が視覚的に描かれ、該第一のメニュー項目（８０４）に対する選択エリア（８０８）は、該第一のメニュー項目（８０４）の該表示されるエリアを越えて広がる、上記項目のいずれかに記載の方法。
（項目１１）
少なくとも一つの機能を行うことは、上記第一のメニュー項目（４０４）の選択に関連した情報を表示することを包含する、上記項目のいずれかに記載の方法。
（項目１２）
コンピューター読み取り可能な媒体であって、ポータブル電子デバイス（１００）のプロセッサー（１０２）によって実行され、該ポータブル電子デバイス（１００）に上記項目のいずれかに記載の方法を実装させる、記憶された命令を有する、コンピューター読み取り可能な媒体。
（項目１３）
ポータブル電子デバイスであって、該ポータブル電子デバイスは、
複数のメニュー項目（４０４）を表示するように構成されているタッチセンシティブディスプレイ（１１８）と、
マイクロプロセッサーと
を備え、
該マイクロプロセッサーは、
該複数のメニュー項目（４０４）の第一のメニュー項目（４０４）の選択エリア内のタッチを検出することであって、該選択エリアは、該第一のメニュー項目（４０４）に対して表示されるエリアを越えて広がる、ことと、
該第一のメニュー項目（４０４）の選択に関連した少なくとも一つの機能を行うことと
を行うように構成されている、ポータブル電子デバイス。
（項目１４）
上記第一のメニュー項目の上記選択エリアは、第二のメニュー項目に対して表示されるエリアに重なるか、または少なくとも二つの隣接したメニュー項目は、一つの共通の境界（３１０）を有する、上記項目のいずれかに記載のポータブル電子デバイス。
（項目１５）
上記タッチは、所定の閾値を超える力によって上記タッチセンシティブディスプレイ（１１８）上に伝えられる、上記項目のいずれかに記載のポータブル電子デバイス。
【００２３】
（摘要）
改善されたメニュー制御装置またはリスト制御装置を有するユーザーインターフェースを含む、ポータブル電子デバイスが開示される。メニューまたはリストの複数の項目の各々は、標的ゾーンを含み、標的ゾーンは、複数のメニュー項目を互いに区別し、ユーザーによる接触が容易な標的を提供するような態様で、空間的に配列される。
【図面の簡単な説明】
【００２４】
【図１】図１は、本開示に従ったポータブル電子デバイスのブロック図である。
【図２】図２は、本開示に従ったタッチセンシティブディスプレイを有する電子デバイスの正面図である。
【図３】図３は、本開示に従った、タッチセンシティブディスプレイ上に幅の広いエリアが交互にあるメニュー項目を例示する。
【図４】図４は、本開示に従った、タッチセンシティブディスプレイ上の拡大標的ゾーンを有するメニュー項目を例示する。
【図５】図５、図６および図７は、本開示に従った、タッチセンシティブディスプレイ上の影を付けられた標的ゾーンを有するメニュー項目を例示する。
【図６】図５、図６および図７は、本開示に従った、タッチセンシティブディスプレイ上の影を付けられた標的ゾーンを有するメニュー項目を例示する。
【図７】図５、図６および図７は、本開示に従った、タッチセンシティブディスプレイ上の影を付けられた標的ゾーンを有するメニュー項目を例示する。
【図８】図８は、本開示に従った、タッチセンシティブディスプレイ上の拡大選択エリアを有する影を付けられた標的ゾーンを例示する。
【図９】図９は、本開示に従った、タッチセンシティブディスプレイ上の共通の境界を有する隣接したメニュー項目に対する拡大標的ゾーンを例示する。
【発明を実施するための形態】
【００２５】
例示を単純で明快にするために、参照数字は、対応する要素または類似した要素を示すように、複数の図面の間で繰り返され得る。加えて、多数の特定の詳細が、本明細書で説明される実施形態の徹底した理解を提供するために述べられる。本明細書で説明される実施形態は、これらの特定の詳細なしに実践され得る。他の例において、本明細書で説明される実施形態を曖昧にしないように、周知の方法、手順およびコンポーネントは、詳細に説明されていない。また、説明は、本明細書で説明される実施形態の範囲に限定されるものと見なされるべきではない。
【００２６】
本開示は、概して、電子デバイスに関し、本明細書で説明される実施形態における電子デバイスは、ポータブル電子デバイスである。ポータブル電子デバイスの例は、モバイルまたはハンドヘルドのワイヤレス通信デバイス（例えば、ページャー、セルラー電話、セルラースマートフォン、ワイヤレスオーガナイザー、パーソナルデジタルアシスタント、ワイヤレスで使用可能なノートブックコンピューターなど）を含む。ポータブル電子デバイスはまた、ワイヤレス通信能力のないポータブル電子デバイス（例えば、ハンドヘルド電子ゲームデバイス、デジタル写真アルバム、デジタルカメラまたは他のデバイス）であり得る。
【００２７】
ポータブル電子デバイス１００の実施形態の例のブロック図が、図１に示される。ポータブル電子デバイス１００は、ポータブル電子デバイス１００の動作全体を制御するプロセッサー１０２などの多くのコンポーネントを含む。データ通信および音声通信を含む通信機能は、通信サブシステム１０４を介して実施される。ポータブル電子デバイス１００によって受信されるデータは、デコーダー１０６によって解凍および解読される。通信サブシステム１０４は、ワイヤレスネットワーク１５０からメッセージを受信し、ワイヤレスネットワーク１５０にメッセージを送信する。ワイヤレスネットワーク１５０は、データ中心のワイヤレスネットワークと、音声中心のワイヤレスネットワークと、同じ物理的基地局を介して音声通信とデータ通信との両方をサポートするデュアルモデルネットワークとのうちの任意のタイプであり得るが、これらに限定されない。ポータブル電子デバイス１００は、電池式デバイスであり、一つ以上の充電電池１４４を受容する電池インターフェース１４２を含む。
【００２８】
プロセッサー１０２はまた、付加的なサブシステムと相互作用し、付加的なサブシステムは、例えば、ランダムアクセスメモリー（ＲＡＭ）１０８、フラッシュメモリー１１０、電子コントローラー１１６に接続されたタッチセンシティブオーバーレイ１１４を有するディスプレイ１１２（電子コントローラー１１６とタッチセンシティブオーバーレイ１１４とディスプレイ１１２とは、一緒にタッチセンシティブディスプレイ１１８（当該分野でタッチスクリーンディスプレイとも呼ばれる）を構成している）、アクチュエーター１２０、力センサー１２２、補助入力／出力（Ｉ／Ｏ）サブシステム１２４、データポート１２６、スピーカー１２８、マイクロフォン１３０、短距離通信１３２および他のデバイスシステム１３４がある。プロセッサー１０２は、電子コントローラー１１６を介して、タッチセンシティブオーバーレイ１１４と相互作用する。ポータブル電子デバイス上で表示され得る情報（例えば、テキスト、文字、記号、画像および他の項目）は、プロセッサー１０２を介してタッチセンシティブディスプレイ１１８上に表示される。タッチセンシティブディスプレイ１１８上でタッチが検出されるとき、当該分野で公知のようにタッチのＸ座標およびＹ座標が決定され、タッチの位置は、グラフィカルユーザーインターフェースを介して表示される情報と関連づけられ得る。タッチは、一つ以上のさまざまな行動（一回以上の接触と、圧力または他の閾値に対する接触と、運動を含む接触と、それらのさまざまな組み合わせとを含むが、これらに限定されない）を含み得る。プロセッサー１０２はまた、図１に示されるように、加速度計１３６と相互作用し得る。加速度計１３６は、プルーフマスおよび適切なたわみ感知回路を有する片持ちばりを含み得る。加速度計１３６は、重力または重力によって誘起された反力の方向を検出するために利用され得る。
【００２９】
本実施形態に従って、ネットワークアクセスに対する加入者を識別するために、ポータブル電子デバイス１００は、ワイヤレスネットワーク１５０のようなネットワークとの通信のためのＳＩＭ／ＲＵＩＭインターフェース１４０に挿入された加入者識別モジュールまたはリムーバブルユーザー識別モジュール（ＳＩＭ／ＲＵＩＭ）カード１３８を用いる。代替案として、ユーザー識別情報は、フラッシュメモリー１１０の中にプログラムされ得る。
【００３０】
ポータブル電子デバイス１００はまた、オペレーティングシステム１４６およびソフトウェアコンポーネント１４８を含み、オペレーティングシステム１４６およびソフトウェアコンポーネント１４８は、プロセッサー１０２によって実行され、典型的にはフラッシュメモリー１１０のような永続的な記憶装置の中に記憶される。付加的なアプリケーションが、ワイヤレスネットワーク１５０、補助Ｉ／Ｏサブシステム１２４、データポート１２６、短距離通信サブシステム１３２または任意の他の適切なデバイスサブシステム１３４を介して、ポータブル電子デバイス１００にロードされ得る。
【００３１】
使用中、受信信号（例えば、テキストメッセージ、ｅメールメッセージ、またはウェブページのダウンロード）は、通信サブシステム１０４によって処理され、プロセッサー１０２に入力される。プロセッサー１０２は、次いで、ディスプレイ１１２、または代替案として補助Ｉ／Ｏサブシステム１２４に対する出力のために、受信信号を処理する。加入者はまた、例えばｅメールメッセージのようなデータ項目も作成し得、データ項目は、通信サブシステム１０４を介してワイヤレスネットワーク１５０にわたって送信され得る。音声通信に対して、ポータブル電子デバイス１００の動作全体は、受信信号がスピーカー１２８に出力され、送信のための信号がマイクロフォン１３０によって生成されることを除いて、実質的に似ている。
【００３２】
ポータブル電子デバイス１００の正面図は、図２に示されている。ポータブル電子デバイス１００は、ハウジング２０２を含み、ハウジング２０２は、タッチセンシティブディスプレイ１１８と、一組の機械式ボタン２０４と、スピーカー１２８とを支持する。
【００３３】
図３において、幅の広いエリアにおける複数の標的ゾーン３０２が、関連したメニュー項目３０４とともに表示されて示されている。メニュー項目３０４の各々は、対応するメニュー項目３０４のエリア内の識別子３０６（例えば、テキストラベル、記号、アイコン、画像など）を含む。各メニュー項目はまた、メニュー項目３０４の一方の側に位置する、より幅の広いエリアにおける標的ゾーン３０２と、標的ゾーン３０２よりも顕著に細く、メニュー項目３０４のもう一方の側に位置する幅の狭いエリア３０８とを有していることが示される。
【００３４】
メニュー項目３０４は、標的ゾーン３０２が隣接したメニュー項目の両側の端に交互に互い違いに配置されるように配列される。図３に示されるように、「Ｅメールを作成する」メニュー項目の標的ゾーン３０２は、タッチセンシティブディスプレイ１１８の左側にあり、「検索」メニュー項目（「Ｅメールを作成する」メニュー項目のすぐ下）の標的ゾーン３０２は右側にあり、「フォルダーを見る」メニュー項目（「検索」メニュー項目のすぐ下）の標的ゾーン３０２は、再び左側にあり、など。標的ゾーン３０２の左右が互い違いになることは、メニュー項目３０４のリストの底部まで続く。
【００３５】
本明細書で利用されるとき、「標的ゾーン」は、メニューのエリアをいい、このメニューのエリアは、メニュー項目と関連したエリアとして一つ以上の方法で視覚的に識別可能である。例えば、本明細書で説明される実施形態の標的ゾーン３０２、４０２、５０２、６０２、７０２、８０２、９０２は、拡大エリア、異なるように影を付けられたエリア、または色付きエリアを含む。標的ゾーンは、メニュー項目と関連したエリアを示し、正確な選択が増す可能性を有する。
【００３６】
図３に例示されたメニュー項目３０４の各々は、一つまたは二つの隣接したメニュー項目を有する影を付けられた境界または共通の境界３１０を有する。この共通の境界３１０は、意図されたメニュー項目３０４の正確な選択の可能性を増大させる、より大きい大きさの標的ゾーン３０２を提供しながら、タッチセンシティブディスプレイ１１８上で表示されるメニュー項目３０４の数を最大化する。このレイアウトは、タッチセンシティブディスプレイ１１８上で利用可能なディスプレイ空間を効率的に用いる。共通の境界はまた、各メニュー項目に対して別個の複数の境界を含むが、複数の境界は、タッチしていると考えられるか、または非常に近いので、複数の境界間の空間は、使用可能な空間であるには小さすぎる。
【００３７】
図には示されていないが、メニュー項目３０４の各々は、異なる色または隣接したメニュー項目とは異なる色を割り当てられ、さまざまなメニュー項目３０４を互いに区別し得る。
【００３８】
メニュー項目３０４の各々は、関連した選択エリアを有する。タッチが選択エリア内で検出されるとき、関連したメニュー項目が、選択されるように決定される。選択エリアは、関連したメニュー項目に対する複数の境界間のエリアと同じであり得る、関連したメニュー項目に対する複数の境界間のエリアより小さく（例えば、標的ゾーンのみで）あり得る、そして／または図８に示されるように関連したメニュー項目に対する複数の境界間の外側に出得る。タッチがメニュー項目に関連した選択エリアの中で検出されるとき、ポータブル電子デバイス１００は、メニュー項目の選択に関連した少なくとも一つの機能を行う。この機能は、そのメニュー項目の選択に関連した情報を表示すること、アプリケーションを起動すること、情報を送信すること、ポータブル電子デバイス１００の設定を変えること、および／またはポータブル電子デバイス１００に適用可能な任意の公知の機能を含み得る。
【００３９】
例えば、メニュー項目３０４の各々の選択エリアは、標的ゾーン３０２および幅の狭いエリア３０８（または補足ゾーン）の両方を含み、メニュー項目３０４のエリア全体を選択のために利用可能にしている。この例において、選択エリアと、表示されるときのメニュー項目３０４のエリアとは、同じである。代替案として、標的ゾーン３０２のみが、選択エリアの中に含まれ得る。幅の狭いエリア３０８を選択エリアから除外することは、有利である。なぜなら、幅の狭いエリア３０８の上または下の標的ゾーン３０２のうちの一つを選択しようとする試みの間に、メニュー項目３０４の幅の狭いエリア３０８が偶然にタッチされ得るからであり、逆の場合も同様である。一様に長く幅の狭い項目を有するリストと対照的に、メニュー項目３０４の標的ゾーン３０２は、対応するメニュー項目に対して、より大きく、容易に選択可能な、そして明快に識別可能な標的を提供する。
【００４０】
複数のメニュー項目４０４に関連した拡大標的ゾーン４０２が、図４に表示されて示される。複数のメニュー項目４０４の各々は、識別子４０６と、実質的に長方形の幅の狭いエリア４０８と、ふくらんだ形状の拡大エリアの中の標的ゾーン４０２とを含む。
【００４１】
図３の実施形態と同様に、拡大部分４１０は、メニュー項目４０４の拡大エリア内の標的ゾーン４０２として機能し、関連したメニュー項目の選択エリアの少なくとも一部分である。オプションで、幅の狭いエリア４０８は、選択エリアの補足ゾーンとして機能し得る。
【００４２】
リストが下向きに広がるとき、メニュー項目４０４の各々の標的ゾーン４０２は、繰り返しパターンで配列され、複数の標的ゾーン４０２は、互いに対して水平方向にずらされ、複数の標的ゾーン４０２は、複数のメニュー項目４０４の端から離れて位置決めされる。図４に示される例において、複数の標的ゾーン４０２は、複数のメニュー項目４０４に沿った三つの水平な位置を横切って斜めに配列され、ユーザーの視点に対してタッチセンシティブディスプレイ１１８に沿って下向きに広がる。複数の標的ゾーン４０２は、「Ｅメールを作成する」メニュー項目上の左端の位置と、「検索」メニュー項目上の中央の位置と、「フォルダーを見る」メニュー項目上の右端の位置とに配置される。このパターンは、「オプション」メニュー項目で繰り返し、標的ゾーン４０２は、左端の位置に配置され、このパターンは続く。この方法で標的ゾーン４０２をずらすことによって、ユーザーは、他の場合には幅の狭いメニュー項目４０４に接触するか、または幅の狭いメニュー項目４０４を選択する、より大きいエリアを有する。近くのメニュー項目に対して標的ゾーン４０２をずらすことは、複数のメニュー項目４０４を互いにさらに区別し、複数の選択エリアを分離させ、より正確な選択プロセスをもたらす。上述のように、複数のメニュー項目４０４の各々は、近くのメニュー項目とは異なる色にされ、複数のメニュー項目４０４を互いにより良い対照を成すようにし得る。
【００４３】
メニュー項目５０４に対する影を付けられた標的ゾーン５０２は、図５においてタッチセンシティブディスプレイ１１８上に表示されて示される。複数のメニュー項目５０４の各々は、識別子５０６を含み、識別子５０６は、幅の狭い長方形エリアの中に配置され、幅の狭い長方形エリアは、メニュー項目５０４に対する表示されるエリアを含む。標的ゾーン５０２は、メニュー項目５０４の各々に対する表示されるエリア内に表示される。標的ゾーン５０２は、図５の例において斜めの繰り返しパターンで配列される。
【００４４】
影を付けられた標的ゾーン５０２は、対応するメニュー項目の表示されるエリア内に少なくとも部分的に配置されるオブジェクトによって描かれる。オブジェクトは、オプションで、対応するメニュー項目との関連を明快に示す態様で、メニュー項目の隣に表示され得る。オブジェクトは、図５〜８に示されるような円形であり得るが、オブジェクトは、星形、四角形、三角形または他の形状であり得る。オブジェクトの外側の境界は、実線、点線および／または破線であり得、オブジェクトの内側および／またはメニュー項目とは、異なる厚さ（境界がない場合を含む）および／または色を有し得る。オブジェクトの内側は、充填され得、例えば、メニュー項目とは異なる色、テクスチャ（ｔｅｘｔｕｒｅ）および／またはパターンを含み得る。オブジェクトは、対応するメニュー項目５０４の残りのエリアとは異なる色配列を有し得る。色配列は、の色、パターン、影、カラー勾配（ｃｏｌｏｒ  ｇｒａｄｉｅｎｔ）、画像などを含む、さまざまなタイプの着色を含む。
【００４５】
複数のメニュー項目５０４のうちの一つを選択するために、ユーザーは、意図されたメニュー項目に関連した標的ゾーン５０２にタッチする。選択エリアは、標的ゾーン５０２とともに配置される。標的ゾーンは、斜めに配列される、すなわちリストの垂直な編成に対して水平方向に分散され、それによって、隣接した複数のメニュー項目５０４間の空間関係に起因する不正確な選択の可能性を低減する。
【００４６】
影を付けられた標的ゾーン６０２の異なる実施形態が、図６に例示されている。複数のメニュー項目６０４の各々に対する標的ゾーン６０２は、より複雑な繰り返しパターンで配列され、より複雑な繰り返しパターンは、標的ゾーン６０２を互いに分離させ、間隔を空けさせる。
【００４７】
この例において、標的ゾーン５０２に対する五つの水平方向の位置は、左、左中央、中央、右中央、および右である。「削除」メニュー項目に対する標的ゾーン６０２は、左の位置に配置される。メニューを下に移動すると、「開封」メニュー項目に対する標的ゾーン６０２は、中央の位置に配置される。すぐ下で、「ファイル」メニュー項目に対する標的ゾーン６０２は、右の位置であり、「未開封とマークする」メニュー項目に対する標的ゾーン６０２は、左中央の位置であり、「保存」メニュー項目に対する標的ゾーン６０２は、右中央の位置である。このパターンは、「返信」メニュー項目で繰り返し、ここでは標的ゾーン６０２は、左の位置にあり、上述のパターンは続く。
【００４８】
このパターンの一つの利点は、隣接した複数のメニュー項目に対して、複数の標的ゾーン６０２を互から分離することである。このパターンを用いると、特定の水平方向の位置にある標的ゾーン６０２は、その標的ゾーンの同じ水平方向の位置を有する一つのメニュー項目から離れた五つのメニュー項目と、その標的ゾーンの「隣接した」水平方向の位置を有する一つのメニュー項目から離れた少なくとも二つのメニュー項目とである。このパターンは、ユーザーが意図せずに近くの標的ゾーンにタッチする可能性を低減し、タッチセンシティブディスプレイ１１８上に標的ゾーン６０２の美的に満足させるパターンを提供する。
【００４９】
影を付けられた標的ゾーン７０２の別の実施形態が、図７に例示される。この例において、標的ゾーン７０２は、タッチセンシティブディスプレイ１１８上のメニュー項目７０４の左側および右側に交互に配置される。複数のメニュー項目７０４の各々は、識別子７０６を含み、識別子７０６は、関連したメニュー項目７０４上で中央揃えされる。
【００５０】
メニュー項目７０４の表示されるエリアの中で中央揃えされた識別子７０６を有する、標的ゾーン７０２の互い違いに配置されたパターンを表示することによって、ユーザーは、複数の標的ゾーン７０２のうちのどれがメニュー項目７０４に対する識別子７０６の各々に対応するかをより容易に視覚的に識別し得、このことは、ユーザーが特定のメニュー項目に対する標的ゾーンを探して、スクリーンをざっと見るのに使う時間を最小化する。
【００５１】
複数のメニュー項目８０４（各々が拡大されているが視覚的に表示されない、標的ゾーン８０２を囲む選択エリア８０８を有する）が、図８に示される。ファントム画法の線で示される選択エリア８０８は、関連したメニュー項目８０４に対して表示されるエリアを越えて広がり、図８の例において示されるように、一つ以上の隣接したメニュー項目８０４の少なくとも一部分に重なり得る。重なりの量は、重なりが存在する場合には、複数の近くのメニュー項目８０４がどのくらい近くに配置されるかに依存する。タッチセンシティブディスプレイ１１８が選択エリア８０８内でタッチを検出するとき、識別された選択エリア８０８に対応する標的ゾーン８０２に対する関連したメニュー項目８０４が、選択され、上述のように適切な機能が実施される。ユーザーが隣接したメニュー項目８０４の中で選択エリア８０８にタッチし得るが、ユーザーは、最も近い標的ゾーン８０２にタッチするように意図していることが仮定され、それによって、意図されたメニュー項目８０４のより正確な選択がもたらされる。
【００５２】
共通の境界を有する隣接したメニュー項目９０４に対する拡大標的ゾーン９０２が、図９においてタッチセンシティブディスプレイ上に表示されて示される。この例において、複数のメニュー項目９０４は、近接して一緒にまとめられ、各メニュー項目は、関連した識別子９０６を有する拡大標的ゾーン９０２を含む。識別子９０６の少なくとも一部分が標的ゾーン９０２の中に配置され、複数のメニュー項目９０４の各々に関連した機能のユーザーによる素早い識別を容易にする。複数の標的ゾーン９０２は、図６における標的ゾーン６０２のパターンに似たパターンで、互いに水平方向にずらされる。ユーザーは、より大きな標的ゾーン９０２において識別子９０６をより素早く識別し得る。隣接したメニュー項目は、上述のように、共通の境界を有し、それによって、タッチセンシティブディスプレイ１１８上の空間の効率的な使用を容易にする。
【００５３】
斜めに広がるパターン以外のパターンと、図面に示され、かつ、本明細書で説明されるパターンとが利用され、標的ゾーンを良好な方法で配列し得る。他のパターン（規則的なまたは不規則的な、ランダムなまたは繰り返しの）もまた、用いられ得る。水平方向の位置は、異なるメニュー項目に対して繰り返され得るか、または表示される各メニュー項目に対して一意的であり得る。複数のメニュー項目に対する複数の識別子は、左に整列され得るか、右に整列され得るか、または中央揃えされ得、少なくとも部分的に標的ゾーンとともに配置され得る。特定のメニューまたはリストに対する標的ゾーンは、同じであり得るか、またはメニュー項目ごとに変化し得る。標的ゾーンの性質（例えば、大きさ、形状、および／または分散パターン）は、ユーザーに選択可能であり得る。提供される例が表示のために縦置きの向きで示されているが、本明細書における教示は、横置きの向きでタッチセンシティブディスプレイに容易に適用され得る。
【００５４】
本明細書で説明されるように、関連した標的ゾーンを有するメニュー項目は、メニュー項目の選択の正確さ、ならびに複数のメニュー項目および複数の標的ゾーンの互いからの区別を改善する。長く幅の狭い選択エリアを有するメニューまたはリストと対照的に、開示されるメニュー項目および標的ゾーンは、互いからより容易に弁別され得、ユーザーのタッチによって、より容易に選択され得る。
【００５５】
垂直、水平、左、右など、上記で用いられた用語は、図面に示される実施形態を説明するための基準を提供するために用いられた相対的な用語であり、他の場合には限定的でない。
【００５６】
標的ゾーンをメニュー項目に沿って都合よく位置決めすることによって、複数のメニュー項目の各々を互いに区別し、分離させ、意図されたメニュー項目の選択の可能性をより高くする特徴が表示される。開示される標的ゾーンは、ポータブル電子デバイスの使いやすさを犠牲にすることなしに、タッチセンシティブディスプレイ上に多くのメニュー項目を含むことを容易にする。各メニュー項目の標的ゾーンが、ユーザーの視点に対して２項目上または２メニュー項目垂直方向にあるそのメニュー項目の複数の標的ゾーンとは、水平方向において異なって位置決めされるように、パターンが配列されるとき、交互する水平方向の配置は、各隣接した項目を有する交互する水平方向の配置よりも、より正確なメニュー項目のユーザー選択を容易にする。
【００５７】
本開示は、本開示の精神または本質的特徴から逸脱することなしに、他の特定の形態において実施され得る。説明される実施形態は、すべての点において単に例示的であるに過ぎず、限定的でないものとして見なされるべきである。したがって、本開示の範囲は、上述の説明によってではなく、添付の特許請求の範囲によって示される。特許請求の範囲の均等物の意味および範囲の内に入るすべての変更は、特許請求の範囲の範囲内に包含されるべきである。
【符号の説明】
【００５８】
１００  ポータブル電子デバイス
１０２  プロセッサー
１０４  通信サブシステム
１０６  デコーダー
１０８  ＲＡＭ
１１０  フラッシュメモリー
１１２  ディスプレイ
１１４  オーバーレイ
１１６  コントローラー
１１８  タッチセンシティブディスプレイ
１２０  アクチュエーター
１２２  力センサー
１２４  補助Ｉ／Ｏ
１２６  データポート
１２８  スピーカー
１３０  マイクロフォン
１３２  短距離通信
１３４  他のデバイスサブシステム
１３６  加速度計
１３８  ＳＩＭ／ＲＵＩＭカード
１４０  ＳＩＭ／ＲＵＩＭインターフェース
１４２  電池インターフェース
１４４  電池
１４６  オペレーティングシステム
１４８  プログラム
１５０  ネットワーク
【図１】
2010262636.tif 000003
【図２】
2010262636.tif 000004
【図３】
2010262636.tif 000005
【図４】
2010262636.tif 000006
【図５】
2010262636.tif 000007
【図６】
2010262636.tif 000008
【図７】
2010262636.tif 000009
【図８】
2010262636.tif 000010
【図９】
2010262636.tif 000011